(57)【要約】【課題】  木質系のボードの外周部を覆うようにエッジを設けた天板を用いたテーブルにおいて、天板の端部とエッジの隙間から浸入した液体をボードが吸水する前に下方へ排水することが可能なテーブルの排水装置を提供する。【解決手段】  天板の外周部の下部に面取り部を形成し、エッジには天板の下面に接合する基板部と該基板部の前端から立ち上がり天板の側端面を覆う側面部を有し、側面部の上縁から内方へ天板の上面縁部を僅かに覆うことが可能な幅の狭い保護片を延設し、側面部と天板との間に空間を設けるとともに、天板の下面と接触しない基板部に傾斜面を形成して、該傾斜面の低位側に導いた液体を下方へ排水するドレイン部を設けた。【選択図】        図９
2014113438.tif 000002
【特許請求の範囲】
【請求項１】
木質系のボードの外周部を覆うようにエッジを設けた天板を用いたテーブルにおいて、前記エッジには天板の下面に接合する基板部と該基板部の前端から立ち上がり前記天板の側端面を覆う側面部を有し、前記側面部と天板との間に空間を設けるとともに、前記天板の下面と接触しない基板部に液体を下方へ排水するドレイン部を設けたことを特徴とするテーブルの排水装置。
【請求項２】
木質系のボードの外周部を覆うようにエッジを設けた天板を用いたテーブルにおいて、前記天板の外周部の下部に面取り部を形成し、前記エッジには天板の下面に接合する基板部と該基板部の前端から立ち上がり前記天板の側端面を覆う側面部を有し、該側面部の上縁から内方へ前記天板の上面縁部を僅かに覆うことが可能な幅の狭い保護片を延設し、前記側面部と天板との間に空間を設けるとともに、前記天板の下面と接触しない基板部に傾斜面を形成して、該傾斜面の低位側に導いた液体を下方へ排水するドレイン部を設けたことを特徴とするテーブルの排水装置。
【請求項３】
天板の周縁部で直線状部に取付けたファンクションエッジと、コーナー部に取付けたコーナーエッジを連続して設けてなる請求項２記載のテーブルの排水装置。
【請求項４】
前記ファンクションエッジの基板部で前記天板の下面に接触しない外周部に外側になるに従って低位になる傾斜面を形成し、該傾斜面の最低位部に前記ドレイン部として上下に貫通した単数又は複数の通水孔を長手方向に所定間隔で形成してなる請求項３記載のテーブルの排水装置。
【請求項５】
前記ファンクションエッジの基板部の下方で前記通水孔の直下に長手方向に沿って排水溝を形成し、該排水溝の適所に外部に排水するための排水孔を形成してなる請求項４記載のテーブルの排水装置。
【請求項６】
前記コーナーエッジの基板部に前記天板下面へネジ止めするための取付孔の周囲部をその他の部位よりも高位に設定するとともに、基板部の上面を内側縁が最も低位になるように外側から内側へかけて傾斜面を形成し、前記ドレイン部として基板部の内側縁を開放してなる請求項３記載のテーブルの排水装置。
【請求項７】
前記天板下面とエッジとの間にレベル調整手段を設け、天板の上面縁部とエッジの保護片との隙間を制御してなる請求項２〜６何れか１項に記載のテーブルの排水装置。
【発明の詳細な説明】
【技術分野】
【０００１】
本発明は、テーブルの排水装置に係わり、更に詳しくは天板の周囲にエッジを有し、天板上にこぼれた液体をエッジを通して排水する機能を備えたテーブルの排水装置に関するものである。
【背景技術】
【０００２】
従来から、複数の天板を連設し、端部に位置する天板の外側端おいて棒脚あるいは脚板で支持するとともに、天板の連結部においては中間脚で支持した構造のテーブルは各種提供されている。また、天板の下面周縁部にビーム部材を配置して天板を補強するとともに、コーナー部でビーム部材に連結した脚ブラケットに棒脚を固定する基本構造も公知である。
【０００３】
そして、天板の周囲に補強を兼ねたエッジ部材を設けたテーブルも各種提供されている。例えば、特許文献１には、天板の周縁を抱くエッジ部と支持枠を一体に設けた枠構成部材の直線要素を天板の周囲直線部に設け、コーナー部においてはコーナー要素を直線要素に嵌合して連結し、そして直線要素の支持枠端部に脚の上端を連結した構造が開示されている。前記直線要素は、アルミ押出し型材からなり、エッジ部は天板の側端面と上面縁部を覆う形状となっている。前記直線要素には、補強機能を有する支持枠部分を備えているが、それ以外の機能は備わってない。
【０００４】
本体をパーティクルボードで形成し、該ボードの端面の中央部に沿って凹溝を形成し、合成樹脂製化粧エッジの矢尻状の突状部を前記凹溝に嵌合して端面処理した構造の天板は、従来からよく使用されている。また、パーティクルボード製の天板の周囲を押出し型材からなるエッジ部材で覆い、外観性の向上と剛性強度を高めることは周知である。ところで、このような天板上面に水やお茶などの液体がこぼれた場合、ボード端面とエッジ部材の隙間から侵入し、ボードの端面から吸水することがある。そのような場合、パーティクルボードは膨らんで歪みが生じるばかりでなく、強度の大幅な低下が生じるのである。
【先行技術文献】
【特許文献】
【０００５】
【特許文献１】特開平１０−１１７８５４号公報
【発明の概要】
【発明が解決しようとする課題】
【０００６】
そこで、本発明が前述の状況に鑑み、解決しようとするところは、木質系のボードの外周部を覆うようにエッジを設けた天板を用いたテーブルにおいて、天板の端部とエッジの隙間から浸入した液体をボードが吸水する前に下方へ排水することが可能なテーブルの排水装置を提供する点にある。
【課題を解決するための手段】
【０００７】
本発明は、前述の課題解決のために、木質系のボードの外周部を覆うようにエッジを設けた天板を用いたテーブルにおいて、前記エッジには天板の下面に接合する基板部と該基板部の前端から立ち上がり前記天板の側端面を覆う側面部を有し、前記側面部と天板との間に空間を設けるとともに、前記天板の下面と接触しない基板部に液体を下方へ排水するドレイン部を設けたことを特徴とするテーブルの排水装置を構成した（請求項１）。
【０００８】
また本発明は、前述の課題解決のために、木質系のボードの外周部を覆うようにエッジを設けた天板を用いたテーブルにおいて、前記天板の外周部の下部に面取り部を形成し、前記エッジには天板の下面に接合する基板部と該基板部の前端から立ち上がり前記天板の側端面を覆う側面部を有し、該側面部の上縁から内方へ前記天板の上面縁部を僅かに覆うことが可能な幅の狭い保護片を延設し、前記側面部と天板との間に空間を設けるとともに、前記天板の下面と接触しない基板部に傾斜面を形成して、該傾斜面の低位側に導いた液体を下方へ排水するドレイン部を設けたことを特徴とするテーブルの排水装置を構成した（請求項２）。
【０００９】
ここで、天板の周縁部で直線状部に取付けたファンクションエッジと、コーナー部に取付けたコーナーエッジを連続して設けてなることが好ましい（請求項３）。
【００１０】
具体的には、前記ファンクションエッジの基板部で前記天板の下面に接触しない外周部に外側になるに従って低位になる傾斜面を形成し、該傾斜面の最低位部に前記ドレイン部として上下に貫通した単数又は複数の通水孔を長手方向に所定間隔で形成してなることが好ましい（請求項４）。
【００１１】
更に、前記ファンクションエッジの基板部の下方で前記通水孔の直下に長手方向に沿って排水溝を形成し、該排水溝の適所に外部に排水するための排水孔を形成してなることがより好ましい（請求項５）。
【００１２】
そして、前記コーナーエッジの基板部に前記天板下面へネジ止めするための取付孔の周囲部をその他の部位よりも高位に設定するとともに、基板部の上面を内側縁が最も低位になるように外側から内側へかけて傾斜面を形成し、前記ドレイン部として基板部の内側縁を開放してなることも好ましい（請求項６）。
【００１３】
また、前記天板下面とエッジとの間にレベル調整手段を設け、天板の上面縁部とエッジの保護片との隙間を制御してなることも好ましい（請求項７）。
【発明の効果】
【００１４】
以上にしてなる請求項１に係る発明のテーブルの排水装置は、木質系のボードの外周部を覆うようにエッジを設けた天板を用いたテーブルにおいて、前記エッジには天板の下面に接合する基板部と該基板部の前端から立ち上がり前記天板の側端面を覆う側面部を有し、前記側面部と天板との間に空間を設けるとともに、前記天板の下面と接触しない基板部に液体を下方へ排水するドレイン部を設けたので、天板の端部とエッジの隙間から浸入した液体をボードが吸水する前に下方へ排水することができ、それにより天板の劣化を防止できる。
【００１５】
請求項２に係る発明のテーブルの排水装置は、木質系のボードの外周部を覆うようにエッジを設けた天板を用いたテーブルにおいて、前記天板の外周部の下部に面取り部を形成し、前記エッジには天板の下面に接合する基板部と該基板部の前端から立ち上がり前記天板の側端面を覆う側面部を有し、該側面部の上縁から内方へ前記天板の上面縁部を僅かに覆うことが可能な幅の狭い保護片を延設し、前記側面部と天板との間に空間を設けるとともに、前記天板の下面と接触しない基板部に傾斜面を形成して、該傾斜面の低位側に導いた液体を下方へ排水するドレイン部を設けたので、天板の端部とエッジの隙間から浸入した液体をボードが吸水する前に下方へ排水することができ、それにより天板の劣化を防止できる。
【００１６】
請求項３によれば、天板の周縁部で直線状部に取付けたファンクションエッジと、コーナー部に取付けたコーナーエッジを連続して設けてなるので、天板のどの位置で液体をこぼしても排水することができる。
【００１７】
請求項４によれば、前記ファンクションエッジの基板部で前記天板の下面に接触しない外周部に外側になるに従って低位になる傾斜面を形成し、該傾斜面の最低位部に前記ドレイン部として上下に貫通した単数又は複数の通水孔を長手方向に所定間隔で形成してなるので、ファンクションエッジの側面部の内面あるいは天板の外周面を伝って流れ落ちる液体を傾斜面によって最低位部のドレイン部としての通水孔から速やかに排水でき、前記天板の外周面から吸水する量を最小に抑制することができる。
【００１８】
請求項５によれば、前記ファンクションエッジの基板部の下方で前記通水孔の直下に長手方向に沿って排水溝を形成し、該排水溝の適所に外部に排水するための排水孔を形成してなるので、通水孔から下方へ流れ出た液体を排水溝で受け、該排水溝の排水孔から所定の位置に排水することができる。
【００１９】
請求項６によれば、前記コーナーエッジの基板部に前記天板下面へネジ止めするための取付孔の周囲部をその他の部位よりも高位に設定するとともに、基板部の上面を内側縁が最も低位になるように外側から内側へかけて傾斜面を形成し、前記ドレイン部として基板部の内側縁を開放してなるので、天板の端部とコーナーエッジとの隙間に侵入した液体も前記天板の外周面から吸水する量を最小に抑制して外部に排水することができる。
【００２０】
請求項７によれば、前記天板下面とエッジとの間にレベル調整手段を設け、天板の上面縁部とエッジの保護片との隙間を制御してなるので、前記天板の上面縁部とエッジの保護片との間に隙間が無くなるようにレベル調整すれば、該隙間から液体が浸入することを最小限に抑制し、また紙の端部が隙間に噛み込むことを防止できるのである。
【図面の簡単な説明】
【００２１】
【図１】本発明に係るテーブルの全体斜視図である。
【図２】同じく天板の一部の斜視図である。
【図３】同じくテーブルの部分底面図である。
【図４】中間脚と縦ダクトの構造を示す部分分解斜視図である。
【図５】ファンクションエッジの部分斜視図である。
【図６】ファンクションエッジとコーナーエッジ及び脚ブラケットの関係を示す部分斜視図である。
【図７】ファンクションエッジの断面図である。
【図８】ファンクションエッジの部分側面図である。
【図９】ファンクションエッジを天板の端部に取付けた状態を示し、（ａ）は図８のＸ−Ｘ線断面図、（ｂ）は図８のＹ−Ｙ線断面図、（ｃ）は図８のＹ−Ｙ線断面図である。
【図１０】コーナーエッジの平面図である。
【図１１】コーナーエッジの側面図である。
【図１２】コーナーエッジの斜視図である。
【図１３】コーナーエッジを天板の端部に取付けた状態を示す部分断面図である。
【図１４】他の実施形態を示すテーブルの部分底面図である。
【図１５】他の実施形態のファンクションエッジを天板の端部に配置し、該天板のレベル調整前の状態を示す部分断面図である。
【図１６】他の実施形態のファンクションエッジを天板の端部に配置し、該天板のレベル調整後の状態を示す部分断面図である。
【図１７】ファンクションエッジの一部省略平面図である。
【図１８】他の実施形態のコーナーエッジの平面図である。
【図１９】同じくコーナーエッジの側面図である。
【発明を実施するための形態】
【００２２】
次に、添付図面に示した実施形態に基づき、本発明を更に詳細に説明する。図１及び図２は本発明に係るテーブルを示し、図３及び図４はテーブルの構造を示し、図５〜図１３は本発明の要部を示し、図中符号１は天板、１Ａは中間天板、１Ｂは端部天板、２は棒脚、３は中間脚、４は縦ダクト、５は配線ダクト装置、５Ａは四角形状ダクト、５Ｂはライン状ダクト、６はダクト蓋体、７は開口部、７Ａはリング状開口部、７Ｂはライン状開口部をそれぞれ示している。
【００２３】
本発明に係るテーブルの全体構成は、図１及び図２に示すように、天板１は、偶数枚の中間天板１Ａ，…と２枚の端部天板１Ｂ，１Ｂを連設して構成される。前記天板１は横長の長尺体であり、長辺側を前後縁、短辺側を側縁と定義する。前記中間天板１Ａ，１Ａは前後に所定の間隔を設けて配置し、その対を側方に適宜連設する。前記端部天板１Ｂの長辺側は天板１の側縁に対応し、前記中間天板１Ａ，１Ａの側端部に長辺側が接合する。つまり、前後に配置した中間天板１Ａ，１Ａの前後縁間隔と前記端部天板１Ｂの長辺の寸法は一致させている。尚、前記端部天板１Ｂは、その横幅を中間天板１Ａの横幅に一致させた大きさのものを用いることもある。本実施形態では、前記中間天板１Ａと端部天板１Ｂは、パーティクルボード等の木質系のボードを用いて形成し、上面は化粧仕上げをしているが、周囲は切断したままで使用する。天板は、例えば裏面に塗装を施して着色したガラス板をパーティクルボードに積層した構造のものも適宜使用する。
【００２４】
そして、前記端部天板１Ｂの前後部は棒脚２，２で支持するとともに、左右の中間天板１Ａ，１Ａの連結部及び端部天板１Ｂと前後の中間天板１Ａ，１Ａの連結部においては中間脚３で支持し、該中間脚３は縦ダクト４の一部を構成している。前記天板１の下方空間はフットフリー、ワゴンフリーとなっており、棒脚２以外のどの位置でも着座することができ、また図示しないが引出し付きのキャビネット等を自由に配置することができ、前記縦ダクト４の前面側にも配置できるようになっている。
【００２５】
前記中間天板１Ａ，１Ａと端部天板１Ｂの境界部分及び４枚の中間天板１Ａ，…の境界部分に、前記配線ダクト装置５を構成する四角形状ダクト５Ａをそれぞれ設けるとともに、前後の中間天板１Ａ，１Ａの間に、同じく配線ダクト装置５を構成するライン状ダクト５Ｂを形成している。前記四角形状ダクト５Ａには、周囲にリング状開口部７Ａを残して二枚のダクト蓋体６，６を中央部で回動開閉可能に設け、該リング状開口部７Ａの一部は前記ライン状ダクト５Ｂのライン状開口部７Ｂに連通している。ここで、前記四角形状ダクト５Ａの下方には、前記縦ダクト４が位置し、互いに連通している。前記四角形状ダクト５Ａは、天板１の構成により２つ以上設けられ、隣接する四角形状ダクト５Ａ，５Ａはライン状ダクト５Ｂで繋がり、つまりリング状開口部７Ａ，７Ａはライン状開口部７Ｂで連通していることが特徴である。
【００２６】
次に、本発明に係るテーブルの全体構造を図４〜図６に基づいて簡単に説明する。前記棒脚２は、脚ブラケット８を介して天板１の下面に取付けられ、両脚ブラケット８，８間にエンドアーム９を連結している。前記中間脚３は、上端に中間アーム１０が側面視略Ｔ字状に取付けられ、該中間アーム１０は左右の中間天板１Ａ，１Ａの連結部及び端部天板１Ｂと前後の中間天板１Ａ，１Ａとの連結部に沿って配置されている。そして、隣接する前記中間脚３，３の上端間には、ファンクションビーム１１，１１が間隔を置いて平行に連結され、更に前記エンドアーム９の中間部と中間脚３の上端間にもファンクションビーム１１，１１が連結されている。そして、前記中間アーム１０の先端には中間ブラケット１２，１２が固定され、前記各中間天板１Ａ，…及び端部天板１Ｂ，１Ｂを前記中間脚３、脚ブラケット８、エンドアーム９、中間アーム１０、ファンクションビーム１１、中間ブラケット１２に載置し、前記脚ブラケット８を端部天板１Ｂ下面にネジ止めするとともに、前記エンドアーム９、中間アーム１０及び中間ブラケット１２に側設された取付片１３，…を用いて天板１下面にネジ止めしている。
【００２７】
更に、図４に示すように、前記中間天板１Ａ及び端部天板１Ｂの縁部には、側端面から下面縁部を覆うようにファンクションエッジ１４が設けられ、直線状に連続する部分においては、両ファンクションエッジ１４，１４を平面視略Ｔ字形の連結金具１５と断面略Ｌ字形の連結板１６とで連結するとともに、該連結金具１５を前記中間ブラケット１２に連結する一方、コーナー部においては、交差する両ファンクションエッジ１４，１４の端部をコーナーエッジ１７で連結している。そして、前記ファンクションエッジ１４を中間天板１Ａと端部天板１Ｂの下面にネジ止めするとともに、前記コーナーエッジ１７も前記ブラケット８と同時に端部天板１Ｂの下面にネジ止めする。
【００２８】
前記棒脚２は、前記脚ブラケット８を介して天板１の下面にネジ止めされる。前記脚ブラケット８は、平面視略四角形であり、内方へ向いた角部に嵌合部を突設し、角パイプで作成した前記エンドアーム９の端部を該嵌合部に外嵌し、ネジ止め連結できるようになっている。また、前記脚ブラケット８には、前記嵌合部と対角位置にある他の角部に前記コーナーエッジ１７を接合できるようになっている。
【００２９】
前記中間脚３は、図５及び図６に示すように、前後両側に支脚１８，１８を間隔を隔てて配置し、両支脚１８，１８の上端間に上向き開放した断面コ字形の支持杆１９を渡設するとともに、下部間に連結杆２０を連結し、更にそれぞれの支脚１８の下端には左右方向へ向いた接地杆２１を逆Ｔ字状に設け、該接地杆２１の両端部にはアジャスター２２，２２を設けた構造である。尚、前記接地杆２１を省略して前記両支脚１８，１８の下端に直接又は間接的にアジャスター２２，２２を設けることもある。
【００３０】
そして、前記中間アーム１０の中央部を、前記中間脚３の支持杆１９の凹溝内に嵌合し、下方からネジ止めしている。尚、前記支脚１８，１８の上端部に凹部を設け、該凹部内に前記中間アーム１０の中央部を嵌合して固定し、前記支持杆１９を省略することも可能である。ここで、前記中間アーム１０は、角パイプで形成され、両端部に前記中間ブラケット１２，１２を取付け、中間部には前記取付片１３，…の他に前記中間脚３の近傍位置に偏平な連結片２３，２３を設けている。また、前記中間脚３の両支脚１８，１８の上端左右両側には、前記ファンクションビーム１１の端部を外嵌してネジ止め連結するための嵌合部２４，２４を突設している。
【００３１】
前記縦ダクト４は、図５及び図６に示すように、前記中間脚３を用いて構成されている。前記縦ダクト４は、両支脚１８，１８の間に、上段コード受け２５を前記支持杆１９又は中間アーム１０に直接に吊止部材２６を用いて吊り下げ状に設けるとともに、下段コード受け２７を高さ調節可能に設け、更に前記中間脚３の両支脚１８，１８と上段コード受け２５及び下段コード受け２７を取り囲むように一対のダクトカバー２８，２８を対向配置し、該ダクトカバー２８，２８の両端縁部を両支脚１８，１８の外側側面に係着手段にて着脱可能且つ取付位置を側方へ変更可能に設けて構成されている。
【００３２】
前記天板１は、木質系のボードの外周部を覆うようにエッジを設けた構造であり、天板１の周縁部で直線状部に取付けたファンクションエッジ１４と、コーナー部に取付けたコーナーエッジ１７を連続して設ける。前記ファンクションエッジ１４とコーナーエッジ１７、脚ブラケット８及び棒脚２の関係は図６に示されている。前記天板１は、図９及び図３１に示すように、外周部の下部に面取り部２９を形成し、具体的には前記面取り部２９は側端面３０から下面３１へかけた傾斜面である。
【００３３】
本発明の排水装置は、図５〜図９に示すように、前記ファンクションエッジ１４には天板１の下面３１に接合する基板部３２と該基板部３２の前端から立ち上がり前記天板１の側端面３０を覆う側面部３３を有し、該側面部３３の上縁から内方へ前記天板１の上面縁部を僅かに覆うことが可能な幅の狭い保護片３４を延設し、前記側面部３３と天板１の側端面３０との間に空間３５を設けるとともに、前記天板１の下面３１と接触しない基板部３２に傾斜面３６を形成して、該傾斜面３６の低位側に導いた液体を下方へ排水するドレイン部３７を設けたものである。
【００３４】
更に詳しくは、前記ファンクションエッジ１４の基板部３２で前記天板１の下面に接触しない外周部に外側になるに従って低位になる傾斜面３６を形成し、該傾斜面３６の最低位部に前記ドレイン部３７として上下に貫通した単数又は複数の通水孔３８を長手方向に所定間隔で形成した。更に、前記ファンクションエッジ１４の基板部３２の下方で前記通水孔３８の直下に長手方向に沿って排水溝３９を形成し、該排水溝３９の適所に外部に排水するための排水孔４０を形成している。
【００３５】
同様に、図６、図１０〜図１３に示すように、前記コーナーエッジ１７には天板１の下面３１に接合する基板部４１と該基板部４１の前端から立ち上がり前記天板１の側端面３０を覆う側面部４２を有し、該側面部４２の上縁から内方へ前記天板１の上面縁部を僅かに覆うことが可能な幅の狭い保護片４３を延設し、前記側面部４２と天板１の側端面３０との間に空間４４を設けるとともに、前記天板１の下面３１と接触しない基板部４１に傾斜面４５を形成して、該傾斜面４５の低位側に導いた液体を下方へ排水するドレイン部４６を設けたものである。
【００３６】
更に詳しくは、前記コーナーエッジ１７の基板部４１に前記天板１の下面３１へネジ止めするための取付孔４７の周囲部をその他の部位よりも高位に設定すべく、前記傾斜面４５から突出した取付台４８を形成するとともに、基板部４１の上面を内側縁が最も低位になるように外側から内側へかけて傾斜面４５を形成し、前記ドレイン部４６として基板部４１の内側縁４９を開放している。つまり、前記傾斜面４５を流れて来た液体は、前記基板部４１の内側縁４９を伝って下方へ排水されるようにしている。
【００３７】
次に、図５〜図９に基づき更に詳しくファンクションエッジ１４を説明する。前記ファンクションエッジ１４は、前記天板１の側端面３０から下面縁部にかけて覆う形状になっており、複数の機能を備えている。先ず、前記ファンクションエッジ１４は、前述の文字通り天板１のエッジ機能、天板１の補強機能、コンセントを備えた前記接続ユニット等を取付けるオプション取付機能を備えている。前記ファンクションエッジは、アルミ押出し型材で作成されており、前記天板１の下面３１に接合する基板部３２の前端から立ち上がり前記天板１の側端面３０を覆う側面部３３を有し、該側面部３３の上縁から内方へ前記天板１の上面縁部を僅かに覆うことが可能な幅の狭い保護片３４を延設し、エッジ機能を構成している。そして、前記ファンクションエッジ１４の基板部３２を前記天板１の下面３１に取付け、前記側面部３３で天板１の側端面３０を覆い、前記保護片３４を天板１の上面端縁に係合した状態で配置する。このように、前記天板１の側端部が完全にファンクションエッジ１４で覆われるので、該天板１の端部は切りっ放しで良く、特別な加工は不要となる。そのため、天板１は厚みさえ合わせれば、層構造は任意にでき、木製のベース部の上にガラス板を接合した複合板にも対応できる。
【００３８】
更に、前記ファンクションエッジ１４は、前記側面部３３から下方へ延長し、それから後方へ前記基板部３２と平行に延びた下面板５０を有し、前記下面板５０の手前端部分を下方へ膨出させて前記排水溝３９を形成するとともに、その後方に凹溝５１を形成し、下面板５０の後端に下方へ垂下板５２を形成し、前記基板部３２の後端部から垂下した後面板５３と前記垂下板５２の下端を底面板５４で連結して、中空の断面略Ｌ字形の本体部を形成し、補強機能を構成している。そして、前記ファンクションエッジ１４は、前記基板部３２の後方延長部と前記底面板５４の後方延長部の両端部から互いに接近する方向に延びた上下の係止板５５，５５と両係止板５５，５５の間に開口溝５６を備えた内部に空間を有する係止レール部５７を形成し、オプション取付機能を構成している。
【００３９】
前記ファンクションエッジ１４を前記天板１の下面にネジ止めするには、図９（ｃ）に示すように、前記凹溝５１内に開口５８を形成し、それに対応する基板部３２に取付孔５９を形成し、前記開口５８から挿入したネジ６０を取付孔５９に挿入して天板１の下面３１に埋設したオニメナット等に螺合する。ここで、前記開口５８は、ネジ６０の頭部が通過するのに十分な大きさを有し、前記ネジ６０を天板１の下面３１へ螺合した状態でも頭部が凹溝５１内に突出しないように寸法設定され、ネジ６０の存在を目立たなくしているとともに、前記凹溝５１を利用する場合に支障がないようにしている。尚、前記凹溝５１は、テーブルの手前に車椅子等の移動可能な椅子に座ったまま天板１に接近するために指を掛ける場合、あるいはテーブルを移動させる際に、指を掛ける場合にも利用できる。
【００４０】
そして、図６、図１０〜図１３に基づき更に詳しくコーナーエッジ１７を説明する。前記コーナーエッジ１７は、平面視略Ｌ字形の本体部の両端に、前記ファンクションエッジ１４の基板部３２と下面板５０との間の空部に嵌入する嵌合片６１，６１を突設し、前記側面部４２の下部から前記傾斜面４５にかけて急傾斜の斜面６２を形成し、該斜面６２は前記天板１の面取り部２０の傾斜と略同じに設定し、速やかな液体の流れを実現している。尚、前記基板部４１の下面には、前記ファンクションエッジ１４の凹溝５１と連続する凹溝６３を形成し、前記取付孔４７は該凹溝６３内に開口している。
【００４１】
図６に示すように、前記コーナーエッジ１７の内側縁４９には、前記脚ブラケット８の外周縁が当接又は接近している。前記コーナーエッジ１７の傾斜面４５を流れて内側縁４９に至った液体は該内側縁４９と前記脚ブラケット８の隙間から下方へ伝って流れ落ち、速やかに排水することができる。
【００４２】
このように、前記天板１の上面にこぼした液体は、前記ファンクションエッジ１４では、天板１の上面縁部と保護片３４の隙間から浸入し、前記側面部３３の内面を伝った液体は傾斜面３６の低位に至り、一方前記天板１の側端面３０を伝った液体は、面取り部２９を伝って傾斜面３６の高位に至り、それから傾斜面３６の沿って低位に移動し、前記通水孔３８から下方の排水溝３９に流れ、そして排水溝３９を流れて排水孔４０から外部に排水される。また、前記コーナーエッジ１７では、前記天板１の上面にこぼした液体は、天板１の上面縁部と保護片４３の隙間から浸入し、前記側面部４２の内面と斜面６２の上面を伝った液体は傾斜面４５の高位に至り、一方前記天板１の側端面３０を伝った液体は、面取り部２９を伝って傾斜面４５の高位に至り、それから傾斜面４５の傾斜に沿って低位の内側縁４９へと流れて排水される。従って、前記天板１をパーティクルボードのような吸水性の材質で作製しても、天板１の端部とファンクションエッジ１４及びコーナーエッジ１７の間に侵入した液体は速やかに排水され、木質系の天板１に吸水される量を抑制することができ、もって天板１の劣化を防止できるのである。
【００４３】
次に、図１４〜図１９に基づいて他の実施形態を説明する。前述の実施形態の場合、部材の寸法誤差や前記ネジ６０の締め付け具合によって、天板１の上面縁部と、前記ファンクションエッジ１４の保護片３４及び前記コーナーエッジ１７の保護片４３の間に隙間が生じることがあり、この隙間が大きくなれば前記天板１の上面にこぼした液体が容易に該天板１の端面を伝って内部に浸入する。そこで、本実施形態では、この隙間を無くする、あるいは最小限になるように、前記天板１に前記ファンクションエッジ１４及びコーナーエッジ１７を取付ける際にレベル調整を行えるようにする。そのため、前記ファンクションエッジ１４及びコーナーエッジ１７に、前記天板１の下面に圧接するネジ式のレベル調整手段６４を設ける。
【００４４】
本実施形態のファンクションエッジ１４の基本構造は、前記同様であるので、同一構成には、同一符号を付して、その説明は省略する。また、本実施形態のコーナーエッジ１７は、平面視略Ｌ字形の本体部の両端に、前記ファンクションエッジ１４の基板部３２と下面板５０との間の空部に嵌入する嵌合片６１，６１を突設し、前記側面部４２の下部から前記傾斜面４５にかけて前記ファンクションエッジ１４の断面形状と連続するように幅の狭い斜面６２を形成している。
【００４５】
更に詳しくは、前記コーナーエッジ１７は、平面視略Ｌ字形の本体部の両端部は前述の実施形態のものと異なり直線状であり、本体部の両端面は直交し、その両端に直交する方向に前記嵌合片６１，６１を突設している。前記ファンクションエッジ１４の端面の横幅は、前記コーナーエッジ１７の端面の横幅よりも広く、前記係止レール部５７の端部が露出するので、この係止レール部５７の溝を利用して円弧状の補填材６５，６５を嵌合し、前記コーナーエッジ１７の内周部とで前記棒脚２を受け入れる平面視略Ｕ字形の嵌合凹部を構成している。
【００４６】
そして、前記レベル調整手段６４は、前記ファンクションエッジ１４にあっては、図１５及び図１６に示すように、前記基板部３２に螺孔６６を形成するとともに、該螺孔６６の直下の下面板５０で前記凹溝５１の位置に通孔６７を形成し、更に前記螺孔６６には頭部の無い調整ネジ６８を螺合し、該調整ネジ６８の下端に形成した係合部６９を前記通孔６７に臨ませて構成した。前記ファンクションエッジ１４を前記天板１の縁部の所定位置に配置した状態で、図１５に示すように、前記天板１の上面縁部とファンクションエッジ１４の保護片３４との間に隙間が生じる場合には、前記ファンクションエッジ１４の通孔６７から挿入したドライバーを調整ネジ６８の係合部６９に係合させて回転し、該調整ネジ６８を上昇させて前記天板１の下面３１に圧接し、該天板１の上面縁部が前記保護片３４に接するまでレベル調整する。それから、前記ファンクションエッジ１４の取付孔５９を挿通したネジ６０を天板１の下面に螺合して取付ける。ここで、前記ファンクションエッジ１４には、長手方向に複数の前記レベル調整手段６４，…を設ける。
【００４７】
一方、前記レベル調整手段６４は、前記コーナーエッジ１７にあっては、図１８及び図１９に示すように、内周縁に近くまで延長した中央部の取付台４８に上下貫通させて螺孔７０又は通孔を形成し、該螺孔７０又は通孔に調整ネジ６８を螺合して構成した。このコーナーエッジ１７も前記同様に調整ネジ６８を回転させて、前記天板１の上面縁部とコーナーエッジ１７の保護片４３との間に隙間が無くなるようにレベル調整するのである。尚、前記取付孔４７にタップを切り、該取付孔４７に調整ネジ６８を螺合して前記レベル調整手段６４を構成し、前記螺孔７０又は通孔は単に天板１の下面にネジ６０で取付けるための取付孔として使用しても良い。それにより、天板１の上面縁部と前記ファンクションエッジ１４の保護片３４及び前記コーナーエッジ１７の保護片４３の間に隙間から液体が浸入することを最小限に抑制し、また紙の端部が隙間に噛み込むことを防止できるのである。
【符号の説明】
【００４８】
１  天板、                    １Ａ  中間天板、
１Ｂ  端部天板、              ２  棒脚、
３  中間脚、                  ４  縦ダクト、
５  配線ダクト装置、          ５Ａ  四角形状ダクト、
５Ｂ  ライン状ダクト、        ６  ダクト蓋体、
７  開口部、                  ７Ａ  リング状開口部、
７Ｂ  ライン状開口部、        ８  脚ブラケット、
９  エンドアーム、            １０  中間アーム、
１１  ファンクションビーム、  １２  中間ブラケット、
１３  取付片、                １４  ファンクションエッジ、
１５  連結金具、              １６  連結板、
１７  コーナーエッジ、        １８  支脚、
１９  支持杆、                ２０  連結杆、
２１  接地杆、                ２２  アジャスター、
２３  連結片、                ２４  嵌合部、
２５  上段コード受け、        ２６  吊止部材、
２７  下段コード受け、        ２８  ダクトカバー、
２９  面取り部、              ３０  側端面、
３１  下面、                  ３２  基板部、
３３  側面部、                ３４  保護片、
３５  空間、                  ３６  傾斜面、
３７  ドレイン部、            ３８  通水孔、
３９  排水溝、                ４０  排水孔、
４１  基板部、                ４２  側面部、
４３  保護片、                ４４  空間、
４５  傾斜面、                ４６  ドレイン部、
４７  取付孔、                ４８  取付台、
４９  内側縁、                ５０  下面板、
５１  凹溝、                  ５２  垂下板、
５３  後面板、                ５４  底面板、
５５  係止板、                ５６  開口溝、
５７  係止レール部、          ５８  開口、
５９  取付孔、                ６０  ネジ、
６１  嵌合片、                ６２  斜面、
６３  凹溝、                  ６４  レベル調整手段、
６５  補填材、                ６６  螺孔、
６７  通孔、                  ６８  調整ネジ、
６９  係合部、                ７０  螺孔。
【図１】
2014113438.tif 000003
【図２】
2014113438.tif 000004
【図３】
2014113438.tif 000005
【図４】
2014113438.tif 000006
【図５】
2014113438.tif 000007
【図６】
2014113438.tif 000008
【図７】
2014113438.tif 000009
【図８】
2014113438.tif 000010
【図９】
2014113438.tif 000011
【図１０】
2014113438.tif 000012
【図１１】
2014113438.tif 000013
【図１２】
2014113438.tif 000014
【図１３】
2014113438.tif 000015
【図１４】
2014113438.tif 000016
【図１５】
2014113438.tif 000017
【図１６】
2014113438.tif 000018
【図１７】
2014113438.tif 000019
【図１８】
2014113438.tif 000020
【図１９】
2014113438.tif 000021